(57)【要約】【課題】プレパラートから接着剤や染色液等が垂れた場合でも台紙を容易に交換することにより、接着剤等の汚染によってプレパラート観察に支障が生じることのないプレパラート収納マッペを提供する。【解決手段】プレパラートを載置するための載置部３を有する樹脂製の上部材２と、台紙４と、当該台紙４を載置可能な樹脂製の下部材５と、更に必要に応じてカバー６とからなり、下部材５は矩形状広枠５ａの内部に台紙４を載置可能な支持桟５ｂが架設されており、上部材２と下部材５との間に台紙４が挟着されるプレパラート収納マッペ１である。【選択図】図１
2014006509.tif 000002
【特許請求の範囲】
【請求項１】
プレパラートを載置するための載置部を有する上部材と、台紙と、当該台紙を載置可能な下部材と、からなるプレパラート収納マッペであって、
下部材は矩形状広枠の内部に台紙を載置可能な支持桟が架設されており、
上部材と下部材との間に台紙が挟着されることを特徴とするプレパラート収納マッペ。
【請求項２】
上部材の載置部は矩形状長枠の内部にプレパラートを載架可能な支持部が少なくとも２本架設されていることを特徴とする請求項１に記載のプレパラート収納マッペ。
【請求項３】
上部材の矩形状長枠の端縁と支持部との間に指を挿入可能な空間が設けられていることを特徴とする請求項２に記載のプレパラート収納マッペ。
【請求項４】
上部材と下部材のいずれか一方又は両方に、上部材と下部材を着脱自在に固着するための固着部が設けられていることを特徴とする請求項１乃至３のいずれかに記載のプレパラート収納マッペ。
【請求項５】
上部材又は下部材の上面にカルテ位置規制部が立設されていることを特徴とする請求項１乃至４のいずれかに記載のプレパラート収納マッペ。
【請求項６】
更に、カバーを有し、当該カバーはその一端縁で上部材又は下部材の一端縁と蝶着可能なヒンジ部を有すると共に、他端で上部材又は下部材と着脱自在に固定可能な係止部を有することを特徴とする請求項１乃至５のいずれかに記載のプレパラート収納マッペ。
【請求項７】
カバーの係止部の両側にカバー開閉時に上部材又は下部材を指で押えるための切欠き部が設けられていることを特徴とする請求項６に記載のプレパラート収納マッペ。
【請求項８】
下部材の底面に積み重ね用の凹部又は凸部が形成され、上部材、カバーのいずれか一つの上面に、前記凹部又は凸部と嵌合する積み重ね用の凸部又は凹部が形成されていることを特徴とする請求項１乃至７のいずれかに記載のプレパラート収納マッペ。
【請求項９】
上部材又は下部材の少なくとも中央部には固定用突起が設けられると共に、下部材又は上部材の少なくとも中央部には前記固定用突起に対応する突起受けが設けられ、
前記固定用突起は前記突起受けの中に、台紙を挟んで又は台紙を貫いて挿入されるように構成されていることを特徴とする請求項１乃至８のいずれかに記載のプレパラート収納マッペ。
【請求項１０】
上部材又は下部材が樹脂製であることを特徴とする請求項１乃至９のいずれかに記載のプレパラート収納マッペ。
【請求項１１】
カバーが透明樹脂製であることを特徴とする請求項６に記載のプレパラート収納マッペ。
【発明の詳細な説明】
【技術分野】
【０００１】
本発明は、プレパラート収納マッペに関し、更に詳しくは、プレパラートから接着剤や染色液等が垂れた場合でも台紙を容易に交換することができ、接着剤等の汚染によりプレパラート観察に支障が生じる恐れがないプレパラート収納マッペに関する。
【背景技術】
【０００２】
従来より、病理検査標本等のプレパラートを横方向にならべて載置するために、プレパラート収納マッペ（以後、単にマッペと称することがある）と呼ばれるトレイ状の容器が使用されている。マッペは平たい板にプレパラートが一枚だけ入る大きさの凹部が多数配列されている構造をしたものが多く、多数の標本を同時に処理する場合や、複数の標本を見比べる場合などに使用される。
【０００３】
このようなマッペを利用すれば、スライドガラスを多数広げてそれぞれに病理細胞などの標本を乗せることにより、一度に多数のプレパラートを作成することができる。しかしながら、このような使用をする場合、カバーガラスを接着するための接着剤や標本を染色するための染色液がスライドガラスからこぼれ落ち、マッペの底に垂れることがある。このような場合、こぼれ落ちた接着剤等がプレパラートの裏面に付着したり、試料観察に支障が生じるため、速やかにマッペを綺麗に掃除する必要がある。
【０００４】
この点について、旧来より使用されていた木製のマッペの場合、こびりついた接着剤や染色液を取り除くのは極めて困難なので最近は少なくなっており、近年は樹脂製のマッペ（例えば特許文献１参照）が主流になっている。しかしながら、樹脂製のマッペの場合でも底に垂れた接着剤や染色液等を完全に除去するのは困難で、残った汚れが試料観察の妨げになることがある。
このような汚れを避けるため、格子が付いた木枠の裏面に台紙を貼り付けた、障子戸のような構造のマッペも使用されている。このような格子戸状のマッペは格子の１つのマスに１つのプレパラートを入れて使用され、台紙が汚れた場合には障子紙を張り替えるのと同じやり方で台紙を張り替える。しかしながら、このやり方では接着剤や染色液による汚れは完全に取り除けるものの、台紙を取り除く際に台紙に水を含ませたり、木枠に残った接着剤や台紙の切れ端をこそぎ落としたり、木枠に満遍なく糊付けしたり、シワにならないように気を付けながら新しい台紙を木枠に接着する手間が非常に煩雑である。また、水分の吸収により重量が大きくなり、更には腐食し易くなるので耐久性に問題がある。
【先行技術文献】
【特許文献】
【０００５】
【特許文献１】特許３２６７８００号公報
【発明の概要】
【発明が解決しようとする課題】
【０００６】
本発明は、上記の如き問題を解消し、接着剤や染色液等が垂れた場合でも容易に台紙を交換することができ、従って、プレパラートの汚染により、試料観察に支障が生じる心配がないプレパラート収納マッペを提供するものである。
【課題を解決するための手段】
【０００７】
上記目的を達成するための本発明の特徴の第１は、プレパラートを載置するための載置部を有する上部材と、台紙と、当該台紙を載置可能な下部材と、からなるプレパラート収納マッペであって、下部材は矩形状広枠の内部に台紙を載置可能な支持桟が架設されており、上部材と下部材との間に台紙が挟着されるプレパラート収納マッペを内容とする。
【０００８】
本発明の特徴の第２は、上部材の載置部は矩形状長枠の内部にプレパラートを載架可能な支持部が少なくとも２本架設されている上記のプレパラート収納マッペを内容とする。
【０００９】
本発明の特徴の第３は、上部材の矩形状長枠の端縁と支持部との間に指を挿入可能な空間が設けられている上記のプレパラート収納マッペを内容とする。
【００１０】
本発明の特徴の第４は、上部材と下部材のいずれか一方又は両方に、上部材と下部材を着脱自在に固着するための固着部が設けられている上記のプレパラート収納マッペを内容とする。
【００１１】
本発明の特徴の第５は、上部材又は下部材の上面にカルテ位置規制部が立設されている上記のプレパラート収納マッペを内容とする。
【００１２】
本発明の特徴の第６は、更に、カバーを有し、当該カバーはその一端縁で上部材又は下部材の一端縁と蝶着可能なヒンジ部を有すると共に、他端で上部材又は下部材と着脱自在に固定可能な係止部を有する上記のプレパラート収納マッペを内容とする。
【００１３】
本発明の特徴の第７は、カバーの係止部の両側にカバー開閉時に上部材又は下部材を指で押えるための切欠き部が設けられている上記のプレパラート収納マッペを内容とする。
【００１４】
本発明の特徴の第８は、下部材の底面に積み重ね用の凹部又は凸部が形成され、上部材、カバーのいずれか一つの上面に、前記凹部又は凸部と嵌合する積み重ね用の凸部又は凹部が形成されている上記のプレパラート収納マッペを内容とする。
【００１５】
本発明の特徴の第９は、上部材又は下部材の少なくとも中央部には固定用突起が設けられると共に、下部材又は上部材の少なくとも中央部には前記固定用突起に対応する突起受けが設けられ、
前記固定用突起と前記突起受けは、台紙を挟んで又は台紙を貫いて係合するように構成されている上記のプレパラート収納マッペを内容とする。
【００１６】
本発明の特徴の第１０は、上部材又は下部材が樹脂製であることを特徴とする上記のプレパラート収納マッペを内容とする。
【００１７】
本発明の特徴の第１１は、カバーが透明樹脂製である上記のプレパラート収納マッペを内容とする。
【発明の効果】
【００１８】
本発明のプレパラート収納マッペは、台紙が上部材とした部材の間で挟着されているので、台紙が汚れた際には下部材と上部材を分離することにより、挟着された台紙を容易に取り外すことができ、且つ下部材と上部材を組み付けることにより新しい台紙を容易に挟着することができ、即ち汚れた台紙を新しい台紙と取り替えるのが容易である。
【００１９】
短矩形枠の端縁と支持部との間に指を挿入可能な空間を設けると、プレパラートが支持部の上に載架されている状態で、載架されたプレパラートを前記空間の上で押えると、プレパラートの一端側が前記空間の中に押し込まれると共に他端側が持ち上がるので、プレパラートを取り出すのが容易である。
【００２０】
上部材又は下部材の上面にカルテ位置規制部を設ければ、保存や持ち運びの際にマッペの上にカルテを載置しやすく、また載置したカルテがずれたり外れたりしにくいので、プレパラートとカルテを一括で処理し易くなる。
【００２１】
カバーを設け、当該カバーと上部材又は下部材を蝶着するように構成した場合は、収容したプレパラートやカルテが不意にマッペから外れる事故が防止できると共に、必要に応じて収納したプレパラートやカルテを取り出しやすくなる。また、カバーを透明樹脂製とすれば、カバーを閉じた状態でマッペ内のプレパラートやカルテを観察でき、利便性が増す。
【００２２】
カバーの係止部の両側にカバー開閉時に上部材又は下部材を指で押えるための切欠き部を設ければ、カバーの開閉が揺動なくスムーズ且つ確実に行え、揺動によるプレパラートの損傷が防止される。
【００２３】
下部材の底面に積み重ね用の凹部又は凸部を形成するとともに、上部材、カバーのいずれか一つの上面に、前記底面に設けた凹部又は凸部と嵌合する積み重ね用の凸部又は凹部を１３すれば、積み重ねられたマッペがずれたり滑り落ちたりすることがなくなり、保存や運搬が容易になる。
【００２４】
上部材又は下部材の少なくとも中央部に固定用突起及びこの固定用突起に対応する突起受けを設け、この固定用突起と突起受けを、台紙を挟んで又は台紙を貫いて係合するように構成すれば、試料の観察中に台紙ががたつくような不都合を防止することができ、試料観察が容易になる。
【図面の簡単な説明】
【００２５】
【図１】図１は本発明のプレパラート収納マッペの一例を示す分解斜視図である。
【図２】図２は上部材の一例を示す平面図である。
【図３】図３（ａ）は上部材の載置部にプレパラートを載架した状態を示す説明図であり、（ｂ）は図３（ａ）のプレパラートの一端側を押えて他端側を浮かせた状態を示す説明図である。
【図４】図４は下部材の一例を示す平面図である。
【図５】図５はカバーの一例を示す平面図である。
【図６】図６は本発明のプレパラート収納マッペの一例を示す平面図である。
【図７】図７（ａ）は図６におけるＡ−Ａ断面図であり、（ｂ）は図７（ａ）の右端部を拡大した部分拡大断面図である。
【図８】図８（ａ）は図６におけるＢ−Ｂ断面図であり、（ｂ）は図８（ａ）の右端部を拡大した部分拡大断面図である。
【図９】図９（ａ）は図６におけるＣ−Ｃ断面図であり、（ｂ）は図９（ａ）の左端部（係止部）を拡大した部分拡大断面図であり、（ｃ）は図９（ａ）の右端部（ヒンジ部）を拡大した部分拡大断面図である。
【図１０】図１０は本発明における係止部の別例を示す説明断面図である。
【図１１】図１１（ａ）（ｂ）は本発明における係止部の更なる別例を示す説明断面図である。
【図１２】図１２は紙止め構造の別例を示す図であり、（ａ）は固定用突起が設けられた下部材の平面図、（ｂ）は突起受けが設けられた上部材の平面図、（ｃ）はこれらの上部材と下部材を組み合わせた状態を示す説明断面図である。
【発明を実施するための形態】
【００２６】
本発明プレパラート収納マッペ１は、図１に示すように、プレパラートを載置するための載置部３を有する上部材２と、台紙４と、当該台紙４を載置可能な下部材５とからなり、好ましくはさらにカバー６を有し、上部材２の載置部３は矩形状長枠３ａの内部にプレパラートを載架可能な支持部３ｂが少なくとも２本架設されており、下部材５は矩形状広枠５ａの内部に台紙４を載置可能な支持桟５ｂが架設されており、上部材２と下部材５との間に台紙４が挟着されることを特徴とする。
【００２７】
本発明で用いる上部材２は、例えば図２に示すように、平板状部材の内部にプレパラートを載置するための載置部３を有する。本発明において、上部材２の材質は樹脂製、金属製、木製等特に制限されないが、成型性、耐水性、軽量性、コストの観点から樹脂製が好ましい。樹脂としては特に限定されないが、具体的には、ポリアセタール樹脂、フッ素樹脂、ポリカーボネート樹脂、ポリアミド（ナイロン）樹脂、ポリエステル樹脂等が挙げられる。また、ポリ乳酸樹脂、ポリブチレンサクシネート、ポリアミド１１、ポリヒドロキシ酪酸等の生分解性プラスチックやバイオマスプラスチック等も使用可能である。
載置部３の矩形状長枠３ａの大きさについては、内部にプレパラートＰを収容可能な大きさであれば特に限定されないが、短辺側がプレパラートＰの長さより僅かに長く、長辺側が上部材２の幅全体に広がる程度の長さとすれば、載置部３内に多数のプレパラートＰを載置できるので好ましく、図２に示した例では前記のような形状の載置部３を上下に２個（２列）設けている。無論、載置部３を１個（１列）でも２個以上の多数個（多数列）設けてもよい。
更に、各列において、プレパラートを１枚づつ収容できるように仕切枠３ｃを設けてもよい。仕切枠３ｃは矩形状長枠３ａの幅いっぱいに設けることもできるが、図２に示したように支持部３ｂの上に突起状に設けるのがシンプルで好ましい。
【００２８】
本発明において、載置部３は上部材２内に設けられ、好ましくは、矩形状長枠３ａの内部に支持部３ｂが少なくとも２本架設されたものであり、図３（ａ）に示したように、プレパラートＰが２本の支持部３ｂの上に載架可能なように構成されている。支持部３ｂの位置は載置部３の内部でプレパラートＰを載架出来る限り特に限定されないが、少なくとも載置部３にプレパラートＰを載置した高さが、矩形状長枠３ａを形成する外周枠や仕切枠の高さより低くする必要がある。また、矩形状長枠３ａの端縁３ａ１と支持部３ｂの間に、指を挿入可能な程度の空間３ａ２が形成されるように支持部３ｂを設ければ、収納されたプレパラートＰを取り出しやすくなるので好ましい。
即ち、図３（ｂ）に示したように、指を挿入可能な空間３ａ２が矩形状長枠３ａの端縁３ａ１と支持部３ｂの間に形成されている場合、プレパラートＰを当該空間３ａ２の上から矢示したように押えれば、他端側が持ち上がるので、その持ち上がった部分を把持することにより、プレパラートＰを容易に取り出すことができる。
なお、図２、図３に示した例において、矩形状長枠３ａの両方の端縁３ａ１に指を挿入可能な空間３ａ２が形成されているがこれに限定されず、片方の端縁３ａ１だけに空間３ａ２を設けることもできる。
【００２９】
本発明における台紙４はシート状部材であって、上部材２の下に配置される。台紙４は、プレパラートＰの観察の妨げになるような模様等が付されていないのが好ましいが、プレパラートＰの観察の妨げにならない位置（例えば仕切枠の下や裏面等）に、位置決めのための目印や模様等を付してもよい。
台紙４の材質は特に限定されず、無発泡又は発泡樹脂フィルムやシート、織布、不織布、紙等が挙げられるが、安価且つ軽量で、こぼれた薬液の吸収性も良い点で紙製が好ましい。
【００３０】
本発明で用いる下部材５は、例えば図４に示すように、内部に矩形状広枠５ａが設けられると共に、当該矩形状広枠５ａの内部に台紙４を載置可能な支持桟５ｂが架設された構造からなる。下部材５の材質も上部材２と同様でよく、樹脂製が好ましい。
矩形状広枠５ａの内部には支持桟５ｂが架設され、この支持桟５ｂの上に台紙４が載置されるように構成される。図４に示した例において、支持桟５ｂは下部材５の中央から放射状に形成されているがこれに限定されず、例えば、矩形状広枠５ａの短辺又は長辺と平行に川の字状に架設してもよいし、又は格子状に架設してもよい。このように構成すれば、軽量化されるばかりでなく、支持桟５ｂの隙間から指を挿入することにより支持桟５ｂ上の台紙を容易に取り除くことができるので好ましい。
【００３１】
本発明においては、収容されたプレパラートや上部材２又は下部材５の上にカルテが載置される場合には、当該カルテが容易に脱落しないように、上部材２の上面を覆うカバー６を設けることができる。このカバー６は上部材２や下部材５と同様、樹脂製が好ましいが、カバー６が閉じた状態でプレパラート等を観察できるように、透明樹脂製とするのが一層好ましい。
カバー６の構造は特に限定されないが、例えば図５に示したような、一端縁に上部材２又は下部材５の一端縁と蝶着可能なヒンジ部６ａを設けると共に、他端に上部材２又は下部材５と着脱自在に固定可能な係止部６ｂを設けた係止機構を例示できる。このような係止機構とすれば、係止部６ｂの係合を着脱してヒンジ部６ａを中心にカバーを回動させる（図９（ｃ）参照）ことにより、容易にカバー６を開閉することができる。
【００３２】
本発明における係止機構としては、カバー６を上部材２又は下部材５に係止できる限り特に限定されないが、例えば、図９（ｂ）に示すように、カバー６に設けた略Ｕ字状の係止部６ｂと、下部材５に前記略Ｕ字状の係止部６ｂと係合可能な係止溝５ｃ及び該係止溝５ｃ内に設けた係止突起５ｄとからなるものが例示できる。
このような係止機構を用いれば、略Ｕ字状の係止部６ｂが下部材５の係止溝５ｃ内に設けた係止突起５ｄに係合するため、該係止部６ｂの略Ｕ字状の部分の形状変形により容易に係合を解くことができ、片手でカバー６を下部材５から簡単に且つ安定的に分離させることができる。
尚、図９（ｂ）ではＵ字状係止部６ｂの剛性を低下させ、撓み変形力を大きくし、小さな力で矢示したように端縁部を押してＵ字状部を変形できるように透孔６ｅを設けているが、省略しても差し支えない。また、図９（ｂ）に示すように、カバー６の指を掛ける部分に滑り止め用突状部６ｄを設けることができる。図９（ｃ）は、ヒンジ部６ａ付近の部分拡大断面図である。
【００３３】
他の係止機構としては、図１０に示すような、下部材５に設けられた係止突起５ｄと、カバーに設けられ前記係止突起５ｄと係合する舌片状の係止部６ｂからなり、係止突起５ｄと係止部６ｂが係合した状態で係止部６ｂを押圧するための押さえ部５ｅからなる構造が例示できる。
この構造において、押さえ部５ｅは下部材５に軸支されるとともに付勢手段（図示せず）によって上端部が係止部６ｂを押圧するように付勢されている。従って、係止突起５ｄと係止部６ｂが係合した状態では不意に係合が外れることがない。また係止突起５ｄと係止部６ｂを係脱させる際には付勢手段の付勢力に抗して押さえ部５ｅを回動させ、下部材５と押さえ部５ｅとの隙間を押し広げるようにする。
【００３４】
係止機構の更なる例としては、図１１に示すように、下部材５に設けられた係止突起５ｄと、カバー６に設けられ前記係止突起５ｄと係合する舌片状の係止部６ｂからなり、係止部６ｂと係止突起５ｄの係合を外すための押し上げ部５ｆを備えた構造が例示できる。
この構造において、押し上げ部５ｆは下部材５に軸支されており、カバー６が閉じた状態では、図１１（ａ）に示すように、押し上げ部５ｆの上面内縁の部分がカバー６の外縁によって押さえられている。カバー６を開くには、図１１（ｂ）に示すように、押し上げ部５ｆを回動させることにより、押し上げ部５ｆの上面内縁の部分でカバー６を押し上げ、舌片状の係止部６ｂの弾性変形により係止部６ｂと係止突起５ｄの係合を外す。
【００３５】
上記の上部材２、台紙４、下部材５、カバー６を組み合わせてなる本発明のプレパラート収納マッペ１を図６に示す。但し、本例においてカバー６は透明樹脂製なので、上部材２、台紙４、下部材５が、カバーを透かして見えている。上部材２と下部材５は台紙を介して着脱自在に固定されるとともに、台紙４は上部材２と下部材５の間に挟着されており、上部材２と下部材５を分離することにより台紙４を容易に取り外せるようになっている。なお、図６に示した例では下部材５の矩形状広枠５ａの内部に上部材２が嵌まり込む形状になっているが、本発明においてはこれに限定されず、上部材２と下部材５の間に台紙４を挟着できる構造であれば、どのような構造でも採用できる。
【００３６】
本発明では、図６に示したように、カバー６の係止部６ｂの両側に切欠き部６ｃを設けることができる（図１、図５も参照）。このようにすれば、閉じられたカバー６を開く際に、片手でカバー６の係止部６ｂを操作しながら、もう一方の手で切欠き部６ｃの下の上部材２又は下部材５を指で押えることができ、これにより、係止部６ｂを操作しやすくなる。また、カバー６を上方に開く際に上部材２又は下部材５が随伴して、カバー６が開き難くなったり、随伴した上部材２又は下部材５が落下して収容したプレパラートが揺動して損傷するようなトラブルが防止できる。
【００３７】
本発明においては、例えば図７（ｂ）に示すように、上部材２又は下部材５の上面にカルテ位置規制部８を立設することができる。カルテ位置規制部８の位置は上部材２又は下部材５の上面で、上側から観察できる位置である限り特に限定されず、上部材２又は下部材５の形状やカルテの大きさ（通常はＡ４）に応じて適宜決定すればよい。図７に示したマッペ１において、カルテ位置規制部８は下部材５の上面に設けられているが、必要に応じ、上部材２にカルテ位置規制部８を設けてもよい。
【００３８】
本発明においては、図８（ｂ）に示したように、積み重ね用の凹部又は凸部９を設けてもよい。このように積み重ね用の凹部又は凸部９を設けることにより、本発明のマッペ１を多数保管する場合や移動、運搬する場合に、不意に積み重ねたマッペ１が崩れ落ちたり、滑り落ちたりすることがなくなり、安全且つ容易に保存や、移動、運搬ができる。
積み重ね用の凹部又は凸部９の形状については、図８（ｂ）に示した例では、下部材５の底面周縁部に円筒状の凸部９が設けられ、カバー６の上面周縁部に前記凸部９と係合する凹部９が設けられているがこれに限定されず、凹部９と凸部９が係合することにより横ズレを防ぐことができる位置、形状であれば、どのようなものでも採用できる。
また、カバー６を用いない場合には、上部材２と下部材５のいずれに積み重ね用の凹部又は凸部９を設けてもよい。
【００３９】
本発明においては、台紙４を挟着している上部材２と下部材５が不意に外れないようにするため、固着部７を設けることができる。固着部７の構造は特に限定されないが、図８に示したように、下部材５の中に上部材２が嵌入する構造にした場合は、下部材５の内側と上部材２の外側に互いに係合する凹凸を設ける構造が例示できる。
【００４０】
本発明において、下部材の支持桟５ｂと支持桟５ｂの間の部分を押さえると挟着された台紙４が上部材２と下部材５の間から抜け落ちる場合があるが、このような抜け落ちを防ぐため、図８に示すような台紙止め構造７ａを設けることができる。
図８に示した例において、台紙止め構造７ａは上部材２に設けられた凸部と、下部材５に設けられた凹部からなる凹凸嵌合形状であり、このような凹凸が上部材２と下部材５の四辺に列設されているが、これに限定されず、上部材２に凹部を設け、下部材５に凸部を設けるようにしてもよい。
【００４１】
紙止め構造７ａの別例を図１２に示す。この台紙止め構造７ａは、図１２（ａ）に示すように、下部材５の少なくとも中央部（図示した例では、中央部に１箇所、四隅部にそれぞれ１箇所、四辺の中部にそれぞれ１箇所の計９箇所）に固定用突起７ａ１を設けると共に、図１２（ｂ）に示すように、上部材２の少なくとも中央部（図示した例では、上記と同様の計９箇所）に固定用突起７ａ１に対応する突起受け７ａ２を設け、図１２（ｃ）に示すように、固定用突起７ａ１が突起受け７ａ２の中に、台紙４を貫いて挿入されるように構成されている。
なお、図示した例とは逆に、上部材２に固定用突起７ａ１を設けると共に、下部材５に突起受け７ａ２を設けてもよい。
また、固定用突起７ａ１の形状は特に限定されず、図示したような円柱状でもよいし、台紙４を貫きやすいように先端を尖らせた形状とすることも出来る。或いは、予め台紙４に固定用突起７ａ１を貫通させるための孔を穿設してもよい。但し、本発明においては、必ずしも固定用突起７ａ２で台紙４を突き破り、貫く必要はなく、固定用突起７ａ１が突起受け７ａ２の中に、台紙を挟んで挿入されるように構成してもよい。
さらに、図１２（ｃ）において、突起受け７ａ２は上部材２に穿たれた貫通孔とされているが、必ずしも貫通孔である必要はなく、固定用突起７ａ１を挿入でき台紙４を止着できる限り有底の穴であってもよい。
【産業上の利用可能性】
【００４２】
叙上のとおり、本発明のプレパラート収納マッペは、接着剤や染色液等が垂れた場合でも容易に台紙を交換することができる。従って、本発明のプレパラート収納マッペは、接着剤や染色液等の汚染により試料観察が妨げられるといったトラブルがなく、極めて有用性が高いものである。
【符号の説明】
【００４３】
１  プレパラート収納マッペ
２  上部材
３  載置部
３ａ  矩形状長枠
３ａ１  端縁
３ａ２  空間
３ｂ  支持部
３ｃ  仕切枠
４  台紙
５  下部材
５ａ  矩形状広枠
５ｂ  支持桟
５ｃ  係止溝
５ｄ  係止突起
５ｅ  押さえ部
５ｆ  押し上げ部
６  カバー
６ａ  ヒンジ部
６ｂ  係止部
６ｃ  切欠き部
６ｄ  滑り止め用突状部
６ｅ  透孔
７  固着部
７ａ  台紙止め構造
７ａ１  固定用突起
７ａ２  突起受け
８  カルテ位置規制部
９  積み重ね用の凹部又は凸部
Ｐ  プレパラート
【図１】
2014006509.tif 000003
【図２】
2014006509.tif 000004
【図３】
2014006509.tif 000005
【図４】
2014006509.tif 000006
【図５】
2014006509.tif 000007
【図６】
2014006509.tif 000008
【図７】
2014006509.tif 000009
【図８】
2014006509.tif 000010
【図９】
2014006509.tif 000011
【図１０】
2014006509.tif 000012
【図１１】
2014006509.tif 000013
【図１２】
2014006509.tif 000014